(57)【要約】 【課題】  スペース的に有利で、１本のスリットノズルで連続してガラス基板に塗布液を塗布することができる塗布装置を提供する。【解決手段】  ガラス基板Ｗの表面への塗布液の塗布が終了したならば、門型移動機構４をそのまま他方の待機部１０の洗浄部１２まで移動させ、洗浄部１２においてスリットノズル６を洗浄し、次の塗布に備える。この間にシリンジポンプ４４には次に塗布する１回分の塗布液を供給し、また基板載置ステージ３上からは塗布後のガラス基板Ｗを払い出し新たなガラス基板Ｗをセットする。新たなガラス基板Ｗがセットされたならば、門型移動機構４を他方の待機部１０のプリディスペンス部１１まで移動させ、プリディスペンス部１１においてスリットノズル６の予備塗布を行った後、門型移動機構４を左方向に移動し、新たなガラス基板Ｗの表面に塗布液を供給する。  【選択図】        図７
2006167639.tif 000002
【特許請求の範囲】
【請求項１】
一対の平行なレール間に基板載置ステージが配置され、この基板載置ステージを跨ぐように門型移動機構が前記レール間に走行可能に架け渡され、この門型移動機構にスリットノズルが昇降可能に保持された塗布装置において、前記門型移動機構の移動領域内で且つ移動方向両端に待機部が設けられていることを特徴とする塗布装置。
【請求項２】
請求項１に記載の塗布装置において、前記待機部は基板載置ステージから離れる方向を基準として、プリディスペンス部、洗浄部及びディップ槽がこの順番で配置されていることを特徴とする塗布装置。
【請求項３】
請求項１または請求項２に記載した塗布装置を用いた塗布方法であって、以下の工程からなることを特徴とする塗布方法。
（１）基板載置ステージ上に基板をセットする。
（２）一方の待機部のプリディスペンス部においてスリットノズルの予備塗布を行なう。
（３）門型移動機構を他方の待機部に向かって移動せしめる間に、スリットノズルから基板載置ステージ上にセットした基板の表面に塗布液を供給する。
（４）塗布液の供給が終了したら、門型移動機構をそのまま他方の待機部に向かって移動せしめ、スリットノズルを他方の待機部のプリディスペンス部または洗浄部まで移動し、次の塗布に備える。
（５）基板載置ステージ上から塗布後の基板を払い出し新たな基板をセットする。
（６）他方の待機部のプリディスペンス部においてスリットノズルの予備塗布を行なう。
（７）門型移動機構を一方の待機部に向かって移動せしめる間に、スリットノズルから基板載置ステージ上にセットした基板の表面に塗布液を供給する。
（８）塗布液を供給が終了したら、門型移動機構をそのまま一方の待機部に向かって移動せしめ、スリットノズルを一方の待機部のプリディスペンス部または洗浄部まで移動し、次の塗布に備える。
（９）この後は前記（１）以降の工程を繰り返す。
【発明の詳細な説明】
【技術分野】
【０００１】
本発明はガラス基板等の基板表面に塗布液を塗布する塗布装置及び塗布方法に関する。
【背景技術】
【０００２】
カラー液晶用のガラス基板に３原色のカラーフィルタを形成する塗布装置として特許文献１に開示されるものが、またプラズマディスプレイ用発光基板に３原色の蛍光体ペーストを塗布する装置として特許文献２に開示されるものが提案されている。
【０００３】
特許文献１に開示される塗布装置は、ボールネジによって移動するステージの上方にスリットノズルを２つ配設し、前記ステージの上面に２枚のガラス基板を離間して載置し、前記２つのスリットノズルを用いて２枚のガラス基板のそれぞれに同時に塗布することで、１つのスリットノズルで塗布する場合に比較して時間を短縮するようにしている。
【０００４】
特許文献２に開示される塗布装置は、一対のレール間に基板載置ステージを配置し、一対のレール間に３台の門型移動機構を架設し、これら３台の門型移動機構にＲ（赤）、Ｇ（緑）及びＢ（青）の蛍光体ペーストを塗布するスリットノズルをそれぞれ取り付け、ガラス基板表面に３台の門型移動機構から順次各色のペーストを塗布するようにしている。
【特許文献１】特開平１０−２１６５９９号公報
【特許文献２】特開２００２−１４０９８２号公報
【発明の開示】
【発明が解決しようとする課題】
【０００５】
特許文献１及び特許文献２に開示される何れの塗布装置にあっても、スリットノズルまたは門型移動機構を複数配設している。これらスリットノズルまたは門型移動機構は何れも重量物であり、これらを複数配置することは塗布装置の大型化につながる。
【０００６】
一方、門型移動機構を備えた一般的な塗布装置は、門型移動機構が往復動する構造となっており、移動の始点近傍を待機部とし、１回の塗布が終了したら再びこの待機部まで門型移動機構が戻ってくる構造になっている。このため、往動の際には塗布を行うが、復動の際には単に戻ってくるだけであるので無駄な動きになっている。
【課題を解決するための手段】
【０００７】
上記の課題を解決すべく本発明は、一対の平行なレール間に基板載置ステージが配置され、この基板載置ステージを跨ぐように門型移動機構が前記レール間に走行可能に架け渡され、この門型移動機構にスリットノズルが昇降可能に保持された塗布装置において、前記門型移動機構の移動領域内で且つ移動方向両端に待機部が設けられた構成とした。
このような構成とすることで、門型移動機構の往復動の何れの移動の際にも塗布が行え、タクトタイムが短縮される。
【０００８】
前記待機部の構成の一例としては、基板載置ステージから離れる方向を基準として、プリディスペンス部、洗浄部及びディップ槽がこの順番で配置された構成が考えられる。この順番で配置することによって、スリットノズルのコンディションを良好に維持することができる。
【０００９】
また、前記門型移動機構をそれぞれのレールに係合する駆動部と、これら駆動部が走行する際にスリットノズルへの歪みの伝達を阻止すべく駆動部間に架設されるビームとから構成すれば、門型移動機構が走行する際に歪みが発生しにくく、仮に若干の歪みが生じるとしても当該歪みはビームによってスリットノズルに伝達するのが阻止される。
【００１０】
また、本発明に係る塗布方法は前記した塗布装置を用いることを前提とし、以下の工程を含む。
（１）基板載置ステージ上に基板をセットする。
（２）一方の待機部のプリディスペンス部においてスリットノズルの予備塗布を行なう。
（３）門型移動機構を他方の待機部に向かって移動せしめる間に、スリットノズルから基板載置ステージ上にセットした基板の表面に塗布液を供給する。
（４）塗布液の供給が終了したら、門型移動機構をそのまま他方の待機部に向かって移動せしめ、スリットノズルを他方の待機部のプリディスペンス部または洗浄部まで移動し、次の塗布に備える。
（５）基板載置ステージ上から塗布後の基板を払い出し新たな基板をセットする。
（６）他方の待機部のプリディスペンス部においてスリットノズルの予備塗布を行なう。
（７）門型移動機構を一方の待機部に向かって移動せしめる間に、スリットノズルから基板載置ステージ上にセットした基板の表面に塗布液を供給する。
（８）塗布液を供給が終了したら、門型移動機構をそのまま一方の待機部に向かって移動せしめ、スリットノズルを一方の待機部のプリディスペンス部または洗浄部まで移動し、次の塗布に備える。
（９）この後は前記（１）以降の工程を繰り返す。
【発明の効果】
【００１１】
本発明によれば、門型移動機構（スリットノズル）の往復動の何れの移動時にも基板への塗布が行えるので、１つの門型移動機構（スリットノズル）を用いて２つの門型移動機構を備えた塗布装置に匹敵する効率の良い塗布を行うことができる。
【発明を実施するための最良の形態】
【００１２】
以下に本発明の実施の形態を添付図面に基づいて説明する。図１は本発明に係る塗布装置の全体平面図、図２は図１のＡ方向矢視図、図３は図１のＢ−Ｂ方向断面図である。
【００１３】
塗布装置は基台１に一対の平行なレール２，２を設け、これらレール２，２の中間位置となる基台１上面の中央に基板載置ステージ３を固定している。そして、この基板載置ステージ３を跨ぐように門型移動機構４が前記レール２，２間に走行可能に架け渡され、この門型移動機構４に昇降装置５,５を介してスリットノズル６が取り付けられている。
【００１４】
門型移動機構４は、それぞれのレール２，２に係合する駆動部４０，４０と、これら駆動部４０，４０間に架設されるビーム４１，４１から構成される。ビーム４１，４１は門型移動機構４が走行する際にスリットノズルへの歪みの伝達を阻止すべく駆動部間に架設されるものであるため、必ずしもスリットノズル６を挟んで前後に設ける必要はなく、一方の側のみに設けてもよい。
【００１５】
一方、レール２には溝部２０が形成され、この溝部２０内にはリニアモータの固定子２１が配置され、また駆動部４０には前記溝部２０内に入り込むリニアモータの可動子４２が設けられ、更に駆動部４０にはレール２との間に微細な隙間を形成するためのエアパッド４３が取り付けられている。
【００１６】
前記スリットノズル６は駆動部４０，４０間に昇降動可能に支持されるとともに、シリンジポンプ４４とつながっており、塗布液供給チューブ４５から１回分だけ塗布液が供給され、１回の塗布が終了した後は、余分な塗布液は排出チューブ４６から回収される。
【００１７】
また、前記門型移動機構４の移動領域の両端部で基板載置ステージ３から離れた位置には待機部１０，１０が設けられている。この実施例にあっては待機部１０，１０は、それぞれプリディスペンス部１１、洗浄部１２及びディップ槽１３がこの順番で配置されている。
【００１８】
以上において、基板載置ステージ３上に載置したガラス基板Ｗに塗布液を塗布する手順を図４乃至図１０に基づいて説明する。
【００１９】
先ず、図４に示す状態を出発点として説明する。図４に示す状態では、基板載置ステージ３上に新たなガラス基板Ｗがセットされ、また門型移動機構４は一方の待機部１０（図において左側）のプリディスペンス部１１の位置にある。
【００２０】
上記の状態からプリディスペンス部１１においてスリットノズル６の予備塗布を行った後、スリットノズル６を所定量上昇せしめるとともにリニアモータを駆動して、門型移動機構４を右方向に移動する。この状態を図５で示している。
【００２１】
そして更に門型移動機構４を右方向に移動しつつスリットノズル６からガラス基板Ｗの表面にレジスト液や蛍光体ペースト等の塗布液を供給する。この状態は図２に示した状態である。尚、塗布にあたっては図示しないセンサによってスリットノズル６下端とガラス基板Ｗの表面との間隔を測定し、この間隔が一定になるように昇降装置５，５によってスリットノズル６の高さ位置を調整して行う。
【００２２】
そして、ガラス基板Ｗの表面への塗布液の塗布が終了したならば、門型移動機構４をそのまま他方の待機部１０（図において右側）の洗浄部１２まで移動させ、洗浄部１２においてスリットノズル６を洗浄する。
【００２３】
連続して基板Ｗに塗布を行う場合には、スリットノズル６の洗浄が終了した後、洗浄部１２においてスリットノズル６をそのまま待機させ乾燥させる。この間にシリンジポンプ４４には次に塗布する１回分の塗布液を供給し、また基板載置ステージ３上からは塗布後のガラス基板Ｗを払い出し新たなガラス基板Ｗをセットする。
【００２４】
一方、塗布を一旦中断する場合、或いは長時間待機する場合には、図７に示すように、門型移動機構４を更にディップ槽１３まで移動し洗浄液中にスリットノズル６の先端を浸漬する。
【００２５】
新たなガラス基板Ｗがセットされたならば、図８に示すように、門型移動機構４を他方の待機部１０のプリディスペンス部１１まで移動させ、プリディスペンス部１１においてスリットノズル６の予備塗布を行った後、スリットノズル６を所定量上昇せしめるとともにリニアモータを駆動して、門型移動機構４を左方向に移動し、新たなガラス基板Ｗの表面に塗布液を供給する。
【００２６】
そして、塗布液を供給が終了したら、門型移動機構４をそのまま一方の待機部１０（図において左側）の洗浄部１２まで移動させ、洗浄部１２においてスリットノズル６を洗浄し、次の塗布に備える。以上の操作を繰り返すことで、連続的に基板Ｗの塗布が行える。
【００２７】
尚、実施例では洗浄部１２で洗浄した後、プリディスペンス部１１まで移動して予備塗布を行った後、次の塗布を行う例を示したが、洗浄部１２で洗浄せずに、塗布が終了したスリットノズルをプリディスペンス部１１で停止し、そこで予備塗布を行って直ちに次の塗布を行うようにしてもよい。
【産業上の利用可能性】
【００２８】
本発明の塗布装置は各種ディスプレイ装置に組み込むガラス基板に、塗膜を形成するための塗布装置として利用することができる。
【図面の簡単な説明】
【００２９】
【図１】本発明に係る塗布装置の全体平面図
【図２】図１のＡ方向矢視図
【図３】図１のＢ−Ｂ方向断面図
【図４】塗布工程のうち一方の待機部のプリディスペンス部に門型移動機構が位置している状態を示す側面図
【図５】塗布工程のうち一方の待機部から門型移動機構が基板直前まで移動した状態を示す側面図
【図６】塗布工程のうち他方の待機部の洗浄部に門型移動機構が位置している状態を示す側面図
【図７】塗布工程のうち他方の待機部の乾燥部に門型移動機構が位置している状態を示す側面図
【図８】塗布工程のうち他方の待機部のプリディスペンス部に門型移動機構が位置している状態を示す側面図
【図９】塗布工程のうち他方の待機部から門型移動機構が基板直前まで移動した状態を示す側面図
【図１０】塗布工程のうち一方の待機部の洗浄部に門型移動機構が位置している状態を示す側面図
【符号の説明】
【００３０】
１…基台、２…レール、２０…溝部、２１…固定子、３…基板載置ステージ、４…門型移動機構、４０…駆動部、４１…ビーム、４２…可動子、４３…エアパッド、４４…シリンジポンプ、４５…塗布液供給チューブ、４６…排出チューブ、５…昇降装置、６…スリットノズル、１０…待機部、１１…プリディスペンス部、１２…洗浄部、１３…ディップ槽、Ｗ…ガラス基板。
【図１】
2006167639.tif 000003
【図２】
2006167639.tif 000004
【図３】
2006167639.tif 000005
【図４】
2006167639.tif 000006
【図５】
2006167639.tif 000007
【図６】
2006167639.tif 000008
【図７】
2006167639.tif 000009
【図８】
2006167639.tif 000010
【図９】
2006167639.tif 000011
【図１０】
2006167639.tif 000012